(57)【要約】【課題】ガス配管用ユニオン継手におけるゴムパッキンの装着状態の確認や、開口部の清掃作業を簡便に実施し得る袋ナット保持具を提供すること。【解決手段】配管端部の開口部１４が下向きに開口するように配置されると共に、袋ナット１５を外嵌させ、袋ナット１５が係止し得るフランジ部１６をその端部側に備えたガス配管用ユニオン継手１８に対し、袋ナット１５をフランジ部１６より上方に保持するために、上面部に前記袋ナットの下縁部１５ａを載置可能な載置部５を有し、且つ下面部に前記フランジ部１６に係止可能な係止部４を有し、且つ上面部と下面部との間の幅寸法Ｔが、袋ナット１５を最大に上方に持ち上げた状態で、袋ナットの下縁部１５ａとフランジ部１６との間に生じる上下方向の隙間Ｓよりも小さく、袋ナットの下縁部１５ａとフランジ部１６との間に介在可能な治具基板２を備える袋ナット保持具１。【選択図】図２
2008240988.tif 000002
【特許請求の範囲】
【請求項１】
配管端部の開口部が下向きに開口するように配置されると共に、袋ナットを外嵌させ、前記袋ナットが係止し得るフランジ部をその端部側に備えたガス配管用ユニオン継手に対し、前記袋ナットを前記フランジ部より上方に保持するために、
上面部に前記袋ナットの下縁部を載置可能な載置部を有し、且つ下面部に前記フランジ部に係止可能な係止部を有し、且つ前記上面部と下面部との間の幅寸法が、前記袋ナットを最大に上方に持ち上げた状態で、前記袋ナットの下縁部と前記フランジ部との間に生じる上下方向の隙間よりも小さく、前記袋ナットの下縁部と前記フランジ部との間に介在可能な治具基板を備える袋ナット保持具。
【請求項２】
前記治具基板が、透明な樹脂で構成される請求項１に記載の袋ナット保持具。
【請求項３】
前記治具基板が、水準器を備える請求項１又は２のいずれか１項に記載の袋ナット保持具。
【発明の詳細な説明】
【技術分野】
【０００１】
本発明は、配管端部の開口部が下向きに開口するように配置されると共に、袋ナットを外嵌させ、前記袋ナットが係止し得るフランジ部をその端部側に備えたガス配管用ユニオン継手に対し、前記袋ナットを前記フランジ部より上方に保持し得る治具に関する。
【背景技術】
【０００２】
図１１は、既設のガス配管１１にガスメータ１２を取付けるときの様子を示している。図１１に示すように、ガスメータ１２は、地中から上方へ立ち上がるように所定の間隔をおいて併設して配管された２本のガス配管１１（ガス流入用配管及びガス流出用配管）の間に設置される。
２本のガス配管１１の端部側には、開口部１４、内周面に雌ネジ部を形成された袋ナット１５、及び袋ナット１５が係止し得るフランジ部１６を備え、且つ開口部１４が下向きに開口するように配置されるガス配管用ユニオン継手１８（以下、ユニオン継手１８と称する）が設けられている。
ガスメータ１２を取付ける際は、各ユニオン継手１８の袋ナット１５を、その外周部に雄ネジ部を形成された２つの口金１３にそれぞれ螺合させることによって、ガスメータ１２を所定位置に設置することができる。
このようなユニオン継手１８においては、ガスメータ１２を取付ける際、フランジ部１６のシール面１６ａにセットしたゴムパッキン１９の装着状態の確認や、開口部１４の清掃を行う必要がある。
尚、この様な作業に関しては、当業者の間で広く一般的に行われているものであり、詳しく言及した特許文献などが無いため、先行技術文献を開示できない。
【発明の開示】
【発明が解決しようとする課題】
【０００３】
しかしながら、袋ナット１５がフランジ部１６に係止した状態においては、袋ナット１５によって、ゴムパッキン１９や開口部１４が覆われてしまうため、ゴムパッキン１９の装着状態の確認や、開口部１４の清掃作業を行う際は、それらが良く見えるように、作業者が袋ナット１５を手で持ち上げながら行わなくてはならず、煩わしいものであった。
本発明は、上記実情に鑑みてなされたものであって、ガス配管用ユニオン継手におけるゴムパッキンの装着状態の確認や、開口部の清掃作業を簡便に実施し得る袋ナット保持具を提供するものである。
【課題を解決するための手段】
【０００４】
本発明の第１特徴構成は、配管端部の開口部が下向きに開口するように配置されると共に、袋ナットを外嵌させ、前記袋ナットが係止し得るフランジ部をその端部側に備えたガス配管用ユニオン継手に対し、前記袋ナットを前記フランジ部より上方に保持するために、
上面部に前記袋ナットの下縁部を載置可能な載置部を有し、且つ下面部に前記フランジ部に係止可能な係止部を有し、且つ前記上面部と下面部との間の幅寸法が、前記袋ナットを最大に上方に持ち上げた状態で、前記袋ナットの下縁部と前記フランジ部との間に生じる上下方向の隙間よりも小さく、前記袋ナットの下縁部と前記フランジ部との間に介在可能な治具基板を備える点にある。
【０００５】
〔作用及び効果〕
本発明の袋ナット保持具を、ガス配管用ユニオン継手（以下、ユニオン継手と称する）の袋ナットの下縁部とフランジ部との間に介在させることによって、袋ナットを常にフランジ部より上方に保持することができる。
そのため、ユニオン継手におけるゴムパッキンの装着状態の確認や、開口部の清掃作業を行う際、作業者がいちいち袋ナットを手で持ち上げる必要がなく、簡便に実施することができる。
【０００６】
本発明の第２特徴構成は、前記治具基板が、透明な樹脂で構成される点にある。
〔作用及び効果〕
治具基板が、透明な樹脂で構成されるため、本発明の袋ナット保持具によって視界が遮られることなく、作業性が向上し得る。
【０００７】
本発明の第３特徴構成は、前記治具基板が、水準器を備える点にある。
〔作用及び効果〕
治具基板が、水準器を備えるため、本発明の袋ナット保持具を使用すれば、ユニオン継手が水平に設置されているか否かを容易に判断することもできる。
【発明を実施するための最良の形態】
【０００８】
以下に本発明の実施の形態を図面に基づいて説明する。
〔第１実施形態〕
図１は、本発明の袋ナット保持具１を示した斜視図である。
本実施形態の袋ナット保持具１における治具基板２は、切り欠き部３を有し、治具基板２の下面部２ｂ（切り欠き部３の周縁）にフランジ部１６に係止可能な係止部４を構成する。また、治具基板２の上面部２ａを、袋ナットの下縁部１５ａを載置可能な載置部５として構成する。
【０００９】
図２〜図４は、本発明の袋ナット保持具１を使用して、ガス配管用ユニオン継手１８（以下、ユニオン継手１８と称する）における袋ナット１５をフランジ部１６より上方に保持する様子を示したものである。
ユニオン継手１８は、内周面に雌ネジ部を形成された袋ナット１５、開口部１４が下向きに開口するように配置される突出筒部１７、並びに、開口部１４の上方に設けられた突出筒部１７よりも大径であって袋ナット１５が係止し得るフランジ部１６を備えている。
【００１０】
図２（イ）及び図３（イ）に示されるように、先ず、袋ナット１５を、最大限まで上方に（図２（イ）及び図３（イ）においては、ユニオン継手１８の上方に位置するエルボ管２０の端部まで）持ち上げる。
次いで、袋ナットの下縁部１５ａとフランジ部１６との間に生じる上下方向の隙間Ｓ（図３（イ）参照）に、本発明の袋ナット保持具１を、その上面部２ａを上にして切り欠き部３側の方から挿入する。
即ち、治具基板２の上面部２ａと下面部２ｂとの間の幅寸法Ｔは、袋ナット１５を最大に上方に持ち上げた状態で、袋ナットの下縁部１５ａとフランジ部１６との間に生じる上下方向の隙間Ｓよりも小さく（薄く）構成されている。また、切り欠き部３の大きさは、その中に突出筒部１７を収容し得るような大きさに形成されている。
次いで、図２（ロ）、図３（ロ）及び図４に示されるように、持ち上げていた袋ナット１５から手を離すと、袋ナット１５が袋ナット保持具１の載置部５上に置かれるが、袋ナット保持具１は、その係止部４によってフランジ部１６で係止されることとなるため、袋ナット１５は常にフランジ部１６よりも上方に保持される。
【００１１】
〔第２実施形態〕
図５は、本発明の袋ナット保持具１の第２実施形態を示した斜視図である。
本実施形態の袋ナット保持具１における治具基板２は、いわゆるスナップピンのような形状を有しており、挿入部６からユニオン継手１８の突出筒部１７を挿入すると、その湾曲部分７が弾性変形して突出筒部１７を挟持し得る構成となっている。また、治具基板２は、その両端部８の上面部２ａを、袋ナットの下縁部１５ａを載置可能な載置部５として構成し、湾曲部分７の下面部２ｂを、フランジ部１６に係止可能な係止部４として構成している。
【００１２】
図６及び図７は、本実施形態の袋ナット保持具１を使用して、ユニオン継手１８における袋ナット１５をフランジ部１６より上方に保持する様子を示したものである。
図６（イ）に示されるように、先ず、袋ナット１５を、最大限まで上方に（図６（イ）においては、ユニオン継手１８の上方に位置するエルボ管２０の端部まで）持ち上げる。
次いで、袋ナットの下縁部１５ａとフランジ部１６との間に生じる上下方向の隙間Ｓに、本実施形態の袋ナット保持具１を、その挿入部６側から挿入して、湾曲部分７によって突出筒部１７を挟持して固定する。
即ち、治具基板２の端部８の上面部２ａと、湾曲部分７の下面部２ｂとの間の幅寸法Ｔは、袋ナット１５を最大に上方に持ち上げた状態で、袋ナットの下縁部１５ａとフランジ部１６との間に生じる上下方向の隙間Ｓよりも小さく（薄く）構成されている。
次いで、図６（ロ）及び図７に示されるように、持ち上げていた袋ナット１５から手を離すと、袋ナット１５が袋ナット保持具１の載置部５上に置かれるが、袋ナット保持具１は、その係止部４（湾曲部分７の下面部２ｂ）によってフランジ部１６で係止されることとなるため、袋ナット１５は常にフランジ部１６よりも上方に保持される。
【００１３】
〔第３実施形態〕
図８は、本発明の袋ナット保持具１の第３実施形態を示した斜視図である。
本実施形態の袋ナット保持具１における治具基板２は、ユニオン継手１８の突出筒部１７の外周面に沿う形状を有し、且つ突出筒部１７を挟持可能な一対のクランプ部９を備える。各クランプ部９には、アーム部１０が連設されており、両アーム部１０は、相互に枢支連結される。
本実施形態の袋ナット保持具１は、その両クランプ部９を、突出筒部１７を挟む状態に配置し、両アーム部１０を挟持操作することによって、両クランプ部９が突出筒部１７を挟持する構成となっている。
また、本実施形態の袋ナット保持具１の治具基板２においては、クランプ部９の下面部２ｂにフランジ部１６に係止可能な係止部４を構成し、クランプ部９の上面部２ａに、袋ナットの下縁部１５ａを載置可能な載置部５を構成している。
【００１４】
図９及び図１０は、本実施形態の袋ナット保持具１を使用して、ユニオン継手１８における袋ナット１５をフランジ部１６より上方に保持する様子を示したものである。
図９（イ）に示されるように、先ず、袋ナット１５を、最大限まで上方に（図９（イ）においては、ユニオン継手１８の上方に位置するエルボ管２０の端部まで）持ち上げる。
次いで、袋ナットの下縁部１５ａとフランジ部１６との間に生じる上下方向の隙間Ｓから、本実施形態の袋ナット保持具１のクランプ部９を、突出筒部１７を挟むようにして挿入する。次いで、両アーム部１０を挟持操作することによって突出筒部１７を挟持し、袋ナット保持具１を固定する。
即ち、治具基板２のクランプ部９の上面部２ａと下面部２ｂとの間の幅寸法Ｔ（クランプ部９の厚さ）は、袋ナット１５を最大に上方に持ち上げた状態で、袋ナットの下縁部１５ａとフランジ部１６との間に生じる上下方向の隙間Ｓよりも小さく（薄く）構成されている。
次いで、図９（ロ）及び図１０に示されるように、持ち上げていた袋ナット１５から手を離すと、袋ナット１５が袋ナット保持具１の載置部５（クランプ部９の上面部２ａ）上に置かれるが、袋ナット保持具１は、その係止部４（クランプ部９の下面部２ｂ）によってフランジ部１６で係止されることとなるため、袋ナット１５は常にフランジ部１６よりも上方に保持される。
【００１５】
〔その他の実施形態〕
１．本発明の袋ナット保持具１における治具基板２の構成材料は、特に限定されるものではないが、好ましくは、透明な樹脂（アクリル樹脂等）である。
２．本発明の袋ナット保持具１における治具基板２に、必要に応じて、水準器を設けるようにしても良い。
３．ガスメータを取付可能な一対のガス配管用ユニオン継手にそれぞれセットするために、本発明の袋ナット保持具１を２つ用意し、それらを適当な鎖等でつなぐような構成としても良い。
【図面の簡単な説明】
【００１６】
【図１】本発明の袋ナット保持具（第１実施形態）を示した斜視図
【図２】本発明の袋ナット保持具（第１実施形態）を使用して、ガス配管用ユニオン継手における袋ナットをフランジ部より上方に保持する様子を示した図
【図３】本発明の袋ナット保持具（第１実施形態）を使用して、ガス配管用ユニオン継手における袋ナットをフランジ部より上方に保持する様子を示した側面図
【図４】本発明の袋ナット保持具（第１実施形態）を使用して、ガス配管用ユニオン継手における袋ナットをフランジ部より上方に保持する様子を示した平面透視図
【図５】本発明の袋ナット保持具（第２実施形態）を示した斜視図
【図６】本発明の袋ナット保持具（第２実施形態）を使用して、ガス配管用ユニオン継手における袋ナットをフランジ部より上方に保持する様子を示した図
【図７】本発明の袋ナット保持具（第２実施形態）を使用して、ガス配管用ユニオン継手における袋ナットをフランジ部より上方に保持する様子を示した平面透視図
【図８】本発明の袋ナット保持具（第３実施形態）を示した斜視図
【図９】本発明の袋ナット保持具（第３実施形態）を使用して、ガス配管用ユニオン継手における袋ナットをフランジ部より上方に保持する様子を示した図
【図１０】本発明の袋ナット保持具（第３実施形態）を使用して、ガス配管用ユニオン継手における袋ナットをフランジ部より上方に保持する様子を示した平面透視図
【図１１】既設のガス配管にガスメータを取付けるときの様子を示した図
【符号の説明】
【００１７】
１  袋ナット保持具
２  治具基板
３  切り欠き部
４  係止部
５  載置部
６  挿入部
７  湾曲部分
８  端部
９  クランプ部
１０  アーム部
１１  ガス配管
１２  ガスメータ
１３  口金
１４  開口部
１５  袋ナット
１５ａ  袋ナットの下縁部
１６  フランジ部
１６ａ  シール面
１７  突出筒部
１８  ユニオン継手
１９  ゴムパッキン
ｓ  隙間
Ｔ  幅寸法
【図１】
2008240988.tif 000003
【図２】
2008240988.tif 000004
【図３】
2008240988.tif 000005
【図４】
2008240988.tif 000006
【図５】
2008240988.tif 000007
【図６】
2008240988.tif 000008
【図７】
2008240988.tif 000009
【図８】
2008240988.tif 000010
【図９】
2008240988.tif 000011
【図１０】
2008240988.tif 000012
【図１１】
2008240988.tif 000013